(57)【要約】【課題】  光センサーを備える必要がなく、また、ユーザの操作性の良い撮影用ライト付きの撮影装置を提供する。【解決手段】  ユーザがモニタの画像が暗いと判断して画像明度調節キーによる明度アップ操作を行った場合、制御部は、Ｓ２で「明度アップ操作あり」を検知し、画像明度の設定値をチェックする（Ｓ３）。そして、Ｓ３で「最大ではない」状態であれば、画像明度の設定を１段階アップする（Ｓ４）。Ｓ３で画像明度の設定値が「最大」の時は、次の処理のＳ５に入る。Ｓ５では、撮影装置が「接写モード」であれば、Ｓ６以降のライト制御に入る。これは、接写モードであれば、近距離の被写体に対して撮影用ライトの効果が現れるからである。ライト制御では、制御部は、ライトの点灯／消灯状態をチェックし（Ｓ６）、「消灯」状態であればライトを点灯する（Ｓ７）。これにより、ユーザは、画像明度調節キーのみの操作により、ライト制御も行うことができる。【選択図】  図２
2007135086.tif 000002
【特許請求の範囲】
【請求項１】
被写体を撮影するためのカメラと、
前記カメラからの画像を処理する画像処理手段と、
前記画像処理手段からの画像データを表示するモニタと、
前記被写体を照らすライトと、
前記モニタに表示される画像データの画像明度のアップ／ダウン操作を行うためのユーザ操作手段と、
前記画像明度のアップ／ダウン操作に従って前記カメラまたは前記画像処理手段の画像明度の設定を行い、
前記画像明度の設定値が最大の時に前記画像明度のアップ操作が行われた場合には前記ライトを点灯する制御手段とを
具備することを特徴とする撮影装置。
【請求項２】
被写体を撮影するためのカメラと、
前記カメラからの画像を処理する画像処理手段と、
前記画像処理手段からの画像データを表示するモニタと、
前記被写体を照らすライトと、
前記モニタに表示される画像データの画像明度のアップ／ダウン操作を行うためのユーザ操作手段と、
前記画像明度のアップ／ダウン操作に従って前記カメラまたは前記画像処理手段の画像明度の設定を行い、
前記画像明度の設定値が最小の時に前記画像明度のダウン操作が行われた場合には前記ライトを消灯する制御手段とを
具備することを特徴とする撮影装置。
【請求項３】
被写体を撮影するためのカメラと、
前記カメラからの画像を処理する画像処理手段と、
前記画像処理手段からの画像データを表示するモニタと、
前記被写体を照らすライトと、
前記モニタに表示される画像データの画像明度のアップ／ダウン操作を行うためのユーザ操作手段と、
前記画像明度のアップ／ダウン操作に従って前記カメラまたは前記画像処理手段の画像明度の設定を行い、
前記画像明度の設定値が最大の時に前記画像明度のアップ操作が行われた場合には点灯している前記ライトの輝度を１段階アップする制御手段とを
具備することを特徴とする撮影装置。
【請求項４】
被写体を撮影するためのカメラと、
前記カメラからの画像を処理する画像処理手段と、
前記画像処理手段からの画像データを表示するモニタと、
前記被写体を照らすライトと、
前記モニタに表示される画像データの画像明度のアップ／ダウン操作を行うためのユーザ操作手段と、
前記画像明度のアップ／ダウン操作に従って前記カメラまたは前記画像処理手段の画像明度の設定を行い、
前記画像明度の設定値が最小の時に前記画像明度のダウン操作が行われた場合には点灯している前記ライトの輝度を１段階ダウンする制御手段とを
具備することを特徴とする撮影装置。
【請求項５】
前記制御手段は、撮影装置が接写モードの時に前記ライトの前記点灯消灯および輝度の制御を行うことを特徴とする請求項１乃至請求項４のいずれか１項に記載の撮影装置。
【発明の詳細な説明】
【技術分野】
【０００１】
本発明は、撮影装置に関し、特に、撮影用ライトを備えて撮影時の明るさ制御を行う撮影装置に関する。
【背景技術】
【０００２】
被写体の低輝度環境下における写真撮影時に、被写体を照らす補助ライトの発光量を自動的に調整することが可能なカメラおよび補助ライト付き携帯電話機がある（例えば、特許文献１参照。）。この特許文献１の携帯電話機にあっては、光センサーを備えて、液晶ディスプレイに写される画像の輝度を検知し、制御部は、この検知した輝度に基づき、補助ライトの発光量を設定している。これにより、被写体の低輝度環境下における写真撮影時に、被写体を照らす補助ライトの発光量を自動的に調整することが可能となっている。また、携帯電話機の使用者が、補助ライトの発光量を被写体の明るさにかかわらず設定したい場合は、キーボードからの入力により、手動により別途設定することもできる。
【特許文献１】特開２００４−１９４０８３号公報（第６〜７頁、図２、図３）
【発明の開示】
【発明が解決しようとする課題】
【０００３】
従来の携帯電話機では、明るさを検出する光センサー等を搭載しなければならないという問題点がある。また、補助ライトの発光量をキーボードからの入力により手動により別途設定する場合は、ユーザの操作性が悪いという問題点がある。  
本発明は、上記の問題点を解決するためになされたもので、光センサーを備える必要がなく、また、ユーザの操作性の良い撮影用ライト付きの撮影装置を提供することを目的とする。
【課題を解決するための手段】
【０００４】
上記目的を達成するために、本発明の撮影装置は、被写体を撮影するためのカメラと、前記カメラからの画像を処理する画像処理手段と、前記画像処理手段からの画像データを表示するモニタと、前記被写体を照らすライトと、前記モニタに表示される画像データの画像明度のアップ／ダウン操作を行うためのユーザ操作手段と、前記画像明度のアップ／ダウン操作に従って前記カメラまたは前記画像処理手段の画像明度の設定を行い、前記画像明度の設定値が最大の時に前記画像明度のアップ操作が行われた場合には前記ライトを点灯する制御手段とを具備することを特徴とする。
【発明の効果】
【０００５】
本発明によれば、光センサーを備える必要がなく、また、ユーザの操作性の良い撮影用ライト付きの撮影装置を提供することが可能となる。
【発明を実施するための最良の形態】
【０００６】
図１は、本発明の実施例に係る撮影装置の関連部分のブロック図である。撮影装置１００は、カメラ１、画像処理部２、モニタ３、撮影用ライト４、画像明度調節キー５、制御部６などにより構成されている。  
カメラ１は、被写体を撮影する時に、絞りや露光時間の調整により、画像の明度を調整することができる。カメラ１は、被写体を撮影した画像信号を画像処理部２へ送出する。画像処理部２は、受信した画像信号に対して画像処理により、更に画像の明度、コントラスト等の調整処理を行い、処理した画像データをモニタ３へ送出する。モニタ３は、受信した画像データをユーザに対して表示する。撮影用ライト４は、被写体の照度が暗い時に、被写体を照らすための光源である。画像明度調節キー５は、ユーザがモニタ３の画像を見て、画像の明度を調節操作するための操作入力手段であり、例えば２つの方向キーで明暗の指示を行う。又は、ジョグダイアルのように回転方向で明暗の指示を行ってもよい。
【０００７】
制御部６は、ユーザが操作する画像明度調節キー５に対応して、カメラ１の絞りや露光時間の調整、画像処理部２の画像明度調整等を制御して画像データの明るさを制御する。そして、その設定状態として、カメラ１の絞りや露光時間の調整、画像処理部２の画像明度調整の設定状態が、最も暗くなる状態か最も明るくなる状態か途中状態にあるかなどを記憶する。また、制御部６は、撮影用ライト４の点灯消灯制御およびその輝度調整機能を有する。輝度調整は、例えば撮影用ライト４がＬＥＤであれば、その電流を制御することにより行う。
【０００８】
次に、制御部６の動作について説明する。  
図２および図３は、本発明の実施例に係る撮影装置の撮影時の明るさ制御に関する制御部の動作フローチャートである。  
図２は、主に、ユーザがモニタ３の画像を見て暗いと判断して、画像の明度アップ操作が行われた時の動作である。まず、撮影装置が撮影状態になると、制御部は、撮影時の明るさ制御に入る（ステップＳ１）。ユーザが、モニタ３の画像を見て、画像明度調節キー５により画像の明度アップ操作や明度ダウン操作を行うと、制御部６は、それを検知する（ステップＳ２）。ユーザがモニタ３の画像が暗いと判断して明度アップ操作を行った場合、制御部６は、ステップＳ２で「明度アップ操作あり」を検知し、画像明度の設定値をチェックする（ステップＳ３）。
【０００９】
これは、制御部６が設定したカメラ１の絞りや露光時間の設定値、画像処理部２の画像明度調整の設定値であり、これらの値がすべて明度が最大になるように設定してあるかそうでないかをチェックする。そして、ステップＳ３で「最大ではない」、つまり、まだ、カメラ１の絞りや露光時間の設定値、画像処理部２の画像明度調整の設定値を明度アップすることが可能であれば、それらのいずれかの画像明度の設定を１段階アップする（ステップＳ４）。そして、元のステップＳ１に戻り、次のユーザ操作を待つ。
【００１０】
ステップＳ３で画像明度の設定値が「最大」となった時、カメラ１の絞りや露光時間の調整、および画像処理部２の画像明度調整による明度アップはできないので、次の処理のステップＳ５に入る。ステップＳ５では、撮影装置が接写モードにあるかどうかをチェックする。これは、接写用のレンズの検出や、接写モード状態にあること自体を検出して行う。ステップＳ５で「接写モード」であれば、ステップＳ６以降のライト制御に入る。これは、接写モードであれば、近距離の被写体に対して撮影用ライトの効果が現れるからである。ステップＳ５で「接写モードではない」時には、被写体が遠くて撮影用ライトの効果が生じないため、ライト制御は行わないで元のステップＳ１に戻る。  
なお、撮影装置の撮影モードがすべて撮影用ライトの効果が現れる構成であれば、ステップＳ５は省略して、すべてステップＳ６以降のライト制御に入ってもよい。
【００１１】
ライト制御では、制御部６は、ライト４の点灯／消灯状態をチェックし（ステップＳ６）、「消灯」状態であればライト４を点灯する（ステップＳ７）。そして、ライト４を点灯すると、ライトの輝度と被写体距離にもよるが、いきなり画像明度が明るくなり過ぎるおそれもあるので、カメラ１の絞りや露光時間の設定値、画像処理部２の画像明度調整の設定値などの明度設定を適宜ダウンする。
【００１２】
ステップＳ６で「点灯」状態であれば、そして、ライト４が輝度調整可能なライトであれば、ライトの輝度状態をチェックする（ステップＳ９）。そして、ライトの輝度が最大ではなければ、ライトの輝度を１段階アップする（ステップＳ１０）。そして、ライトの輝度を１段階アップすると、この１段階の程度と被写体距離にもよるが、いきなり画像明度が明るくなり過ぎるおそれもあるので、カメラ１の絞りや露光時間の設定値、画像処理部２の画像明度調整の設定値などの明度設定を適宜ダウンする。ステップＳ９でライトの輝度が最大であれば、何もせず、元のステップＳ１に戻る。
【００１３】
なお、ステップＳ８およびＳ１１の明度設定の適宜ダウンは行わなくてもよい。また、ライト４が点灯／消灯制御のみが可能で輝度調整ができないライトの場合は、ステップＳ９、Ｓ１０、Ｓ１１は省略する。以上で、画像の明度アップ操作が行われた時の動作説明を終わる。
【００１４】
次に、ステップＳ２で「明度ダウン操作あり」を検知した時の動作を説明する。  
図３は、ユーザがモニタ３の画像を見て明るいと判断して、画像の明度ダウン操作が行われた時の動作である。制御部は、図２のステップＳ２で「明度ダウン操作あり」を検知すると、ステップＳ２３に入る。ステップＳ２３では、画像明度の設定値をチェックする。そして、ステップＳ２３で「最小ではない」状態であれば、画像明度の設定を１段階ダウンする（ステップＳ２４）。そして、元のステップＳ１（図２）に戻り、次のユーザ操作を待つ。
【００１５】
ステップＳ２３で画像明度の設定値が「最小」となった時、カメラ１の絞りや露光時間の調整、および画像処理部２の画像明度調整による明度ダウンはできないので、次の処理のステップＳ２５に入る。ステップＳ２５で「接写モード」であれば、ステップＳ２６以降のライト制御に入る。ステップＳ２５で「接写モードではない」時には、ライト制御は行わないで元のステップＳ１（図２）に戻る。  
なお、撮影装置の撮影モードがすべて撮影用ライトの効果が現れる構成であれば、ステップＳ２５は省略して、すべてステップＳ２６以降のライト制御に入ってもよい。
【００１６】
ライト制御では、制御部６は、ライト４の点灯／消灯状態をチェックして（ステップＳ２６）「消灯」状態であれば、これ以上暗くすることはできないので、元のステップＳ１（図２）に戻る。ステップＳ２６で「点灯」状態であれば、次にライトの輝度状態をチェックする（ステップＳ２７）。そして、ライトの輝度が最小であれば、更に暗くするためにライトを消灯する（ステップＳ２８）。そして、ライト４を消灯すると、ライトの輝度と被写体距離にもよるが、いきなり画像明度が暗くなり過ぎるおそれもあるので、カメラ１の絞りや露光時間の設定値、画像処理部２の画像明度調整の設定値などの明度設定を適宜アップする（ステップＳ２９）。
【００１７】
ステップＳ２７でライトの輝度状態が「最小ではない」状態の時は、ライト４が輝度調整可能なライトであれば、ライトの輝度を１段階ダウンする（ステップＳ３０）。そして、ライトの輝度を１段階ダウンすると、この１段階の程度と被写体距離にもよるが、いきなり画像明度が暗くなり過ぎるおそれもあるので、カメラ１の絞りや露光時間の設定値、画像処理部２の画像明度調整の設定値などの明度設定を適宜アップする（ステップＳ３１）。
【００１８】
なお、ステップＳ２９およびＳ３１の明度設定の適宜アップは行わなくてもよい。また、ライト４が点灯／消灯制御のみが可能で輝度調整ができないライトの場合は、ステップＳ２７、Ｓ３０、Ｓ３１は省略する。以上で、画像の明度ダウン操作が行われた時の動作説明を終わる。  
なお、実施例では、撮影装置について説明したが、撮影機能のついた他の装置、例えば携帯電話機等であってもよい。
【００１９】
本発明の実施例によれば、ユーザは、モニタ画像の画像明度調節キーのみを操作することにより、撮影用ライトの点灯／消灯制御および輝度制御も同時に行うことができて、ユーザの操作性を向上することができる。また、光センサーや撮影用ライトの点灯／消灯制御および輝度制御用のスイッチを設ける必要がない。
【図面の簡単な説明】
【００２０】
【図１】本発明の実施例に係る撮影装置の関連部分のブロック図。
【図２】本発明の実施例に係る撮影装置の撮影時の明るさ制御に関する制御部の動作フローチャート。
【図３】本発明の実施例に係る撮影装置の撮影時の明るさ制御に関する制御部の動作フローチャート。
【符号の説明】
【００２１】
１  カメラ
２  画像処理部
３  モニタ
４  撮影用ライト
５  画像明度調節キー
６  制御部
１００  撮影装置
【図１】
2007135086.tif 000003
【図２】
2007135086.tif 000004
【図３】
2007135086.tif 000005